(57)【要約】蓄電装置は、（ａ）電池部が収容され、第１面１１に第１開口部２１及び第２開口部２２が設けられたケース１０、（ｂ）外部接続用第１端子３１及び外部接続用第２端子３２、（ｄ）ケース内に、第１開口部２１に対向して配置された導通状態切替え手段４１、（ｅ）ケース内に配置された電子部品、並びに、（ｆ）ケース１０の第１面１１と対向した内面に設けられ、導通状態切替え手段４１を導通状態又は非導通状態とする接続部を有するカバー部材から構成され、カバー部材の内面とケース１０の第１面１１とが対向し、且つ、接続部が導通状態切替え手段４１と嵌合した状態で、カバー部材は、ケース１０の第１面１１に取り付けられ、第１開口部２１、第２開口部２２、外部接続用第１端子３１及び外部接続用第２端子３２を覆う。
2017077765.tif 000002
【特許請求の範囲】
【請求項１】
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆う蓄電装置。
【請求項２】
カバー部材の縁部には、他の蓄電装置を構成するカバー部材の縁部と係合する係合部が設けられている請求項１に記載の蓄電装置。
【請求項３】
導通状態切替え手段は、
電池部の第１端子部に接続され、第１開口部に対向してケース内に配置された内部第１端子、及び、
外部接続用第１端子に接続され、第１開口部に対向してケース内に配置された内部第２端子、
を備えており、
接続部は、内部第１端子及び内部第２端子に嵌合する請求項１に記載の蓄電装置。
【請求項４】
接続部は、板状の導電材料が折曲げられて成り、第１脚部及び第２脚部を有しており、
第１開口部と対向する内部第１端子の対向面には第１スリット部が設けられており、
第１開口部と対向する内部第２端子の対向面には第２スリット部が設けられており、
接続部と導通状態切替え手段とが嵌合するとき、接続部の第１脚部が第１スリット部に挿入され、接続部の第２脚部が第２スリット部に挿入される請求項３に記載の蓄電装置。
【請求項５】
電池部の第１端子部と内部第１端子との間、又は、外部接続用第１端子と内部第２端子との間、又は、電池部の第１端子部と内部第１端子との間及び外部接続用第１端子と内部第２端子との間には、ヒューズが挿入されている請求項３に記載の蓄電装置。
【請求項６】
電子部品は、蓄電装置のアドレスを設定するスイッチ装置である請求項１に記載の蓄電装置。
【請求項７】
外部の制御装置との通信のための通信用端子を更に備えている請求項１に記載の蓄電装置。
【請求項８】
再生可能エネルギーに基づき発電を行う発電装置によって充電される請求項１に記載の蓄電装置。
【請求項９】
電気・電子機器に電力を供給する請求項１に記載の蓄電装置。
【請求項１０】
複数の蓄電装置、及び、
複数の蓄電装置を架載するラック、
を備えた蓄電装置組立体であって、
各蓄電装置は、
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆い、
カバー部材の縁部には、第１係合部及び第２係合部が設けられており、
一の蓄電装置のカバー部材における第１係合部と、該一の蓄電装置に隣接する蓄電装置のカバー部材における第２係合部とが係合する蓄電装置組立体。
【請求項１１】
第１係合部及び第２係合部は、低圧側の蓄電装置のカバー部材における第１係合部が、高圧側の蓄電装置のカバー部材における第２係合部に対して係合する構造を有する請求項１０に記載の蓄電装置組立体。
【請求項１２】
第１係合部は、カバー部材から突出しており、
低圧側の蓄電装置のカバー部材における第１係合部と高圧側の蓄電装置のカバー部材における第２係合部が係合するとき、低圧側の蓄電装置のカバー部材における第１係合部は高圧側の蓄電装置のカバー部材における第２係合部を覆う請求項１１に記載の蓄電装置組立体。
【請求項１３】
第１係合部は、第１突出部及び第１凹部から構成されており、
第２係合部は、第２凹部及び第２突出部から構成されており、
低圧側の蓄電装置のカバー部材における第１係合部の第１突出部と高圧側の蓄電装置のカバー部材における第２係合部の第２凹部が係合するとき、低圧側の蓄電装置のカバー部材における第１係合部の第１突出部は高圧側の蓄電装置のカバー部材における第２係合部の第２凹部を覆い、
低圧側の蓄電装置のカバー部材における第１係合部の第２凹部と高圧側の蓄電装置のカバー部材における第２係合部の第２突出部が係合するとき、低圧側の蓄電装置のカバー部材における第１係合部の第１凹部に高圧側の蓄電装置のカバー部材における第２係合部の第２突出部が納まる請求項１１に記載の蓄電装置組立体。
【請求項１４】
複数の蓄電装置、及び、
複数の蓄電装置を架載するラック、
を備えており、
各蓄電装置は、
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の縁部には、第１係合部及び第２係合部が設けられている蓄電装置組立体の組み立て方法であって、
ラックに架載された高圧側の蓄電装置に隣接して、カバー部材を外した状態で低圧側の蓄電装置をラックに架載し、次いで、
高圧側の蓄電装置の外部接続用第２端子と低圧側の蓄電装置の外部接続用第１端子とを電気的に接続し、その後、
高圧側の蓄電装置のカバー部材における第２係合部に、低圧側の蓄電装置のカバー部材における第１係合部が係合するように、且つ、低圧側の蓄電装置におけるカバー部材の内面とケースの第１面とが対向し、接続部が導通状態切替え手段と嵌合するように、ケースにカバー部材を取り付け、カバー部材で第１開口部、第２開口部、外部接続用第１端子及び外部接続用第２端子を覆う、
各工程から成る蓄電装置組立体の組み立て方法。
【請求項１５】
請求項１乃至請求項７のいずれか１項に記載の蓄電装置を有しており、蓄電装置から電力の供給を受ける電気・電子機器。
【請求項１６】
請求項１乃至請求項７のいずれか１項に記載の蓄電装置、
蓄電装置から電力の供給を受けて車両の駆動力に変換する変換装置、及び、
蓄電装置に関する情報に基づいて車両制御に関する情報処理を行う制御装置、
を有する電動移動手段。
【請求項１７】
請求項１乃至請求項７のいずれか１項に記載の蓄電装置、及び、
他の機器とネットワークを介して情報を受信する受信部、
を備えており、
受信部が受信した情報に基づき蓄電装置の充放電制御を行う電力システム。
【請求項１８】
請求項１乃至請求項７のいずれか１項に記載の蓄電装置を有しており、
蓄電装置から電力の供給を受け、又は、発電装置若しくは電力網から蓄電装置に電力を供給する電力システム。
【発明の詳細な説明】
【技術分野】
【０００１】
本開示は、蓄電装置、蓄電装置組立体、電気・電子機器、電動移動手段及び電力システム、並びに、蓄電装置組立体の組み立て方法に関する。
【背景技術】
【０００２】
電池部がケース内に収容された蓄電装置が、例えば、特開２０１２−１２４０４３から周知である。この特許公開公報に開示された蓄電装置は、電池部の正と負の両極のそれぞれにケースの外から電気的に接続するための両極の外部端子、及び、電子部品を備えており、両極の外部端子の少なくとも一方側と電池部との接続が断たれる場合にのみ、電子部品がアクセス可能とされる構造を有する。
【先行技術文献】
【特許文献】
【０００３】
【特許文献１】特開２０１２−１２４０４３
【発明の概要】
【発明が解決しようとする課題】
【０００４】
この特許公開公報に開示された蓄電装置にあっては、両極の外部端子と電池部との接続が断たれていない場合、電子部品へのアクセスができない構造となっており、高い安全性を有する。しかしながら、更に一層高い安全性を有する蓄電装置及び蓄電装置組立体に対する要望がある。【０００５】
従って、本開示の目的は、より一層高い安全性を有する蓄電装置及び蓄電装置組立体、係る蓄電装置を有する電気・電子機器、電動移動手段及び電力システム、並びに、蓄電装置組立体の組み立て方法を提供することにある。
【課題を解決するための手段】
【０００６】
上記の目的を達成するための本開示の蓄電装置は、
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆う。【０００７】
上記の目的を達成するための本開示の蓄電装置組立体は、
複数の蓄電装置、及び、
複数の蓄電装置を架載するラック、
を備えた蓄電装置組立体であって、
各蓄電装置は、
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆い、
カバー部材の縁部には、第１係合部及び第２係合部が設けられており、
一の蓄電装置のカバー部材における第１係合部と、該一の蓄電装置に隣接する蓄電装置のカバー部材における第２係合部とが係合する。【０００８】
即ち、一の蓄電装置を、便宜上、『蓄電装置−Ａ』、この蓄電装置−Ａの一方の側（例えば、蓄電装置−Ａより高圧側）に隣接する蓄電装置を、便宜上、『蓄電装置−Ｂ』、この蓄電装置−Ａの他方の側（蓄電装置−Ａより低圧側）に隣接する蓄電装置を、便宜上、『蓄電装置−Ｃ』としたとき、蓄電装置−Ｂ、蓄電装置−Ａ、蓄電装置−Ｃの順に配列される。そして、例えば、蓄電装置−Ａの第１係合部と蓄電装置−Ｂの第２係合部とが係合し、また、蓄電装置−Ａの第２係合部と蓄電装置−Ｃの第１係合部とが係合する。また、第１係合部と第２係合部とが係合した状態にあっては、第１係合部と第２係合部とが、少なくとも一部分において接触状態にある場合もあるし、非接触状態にある場合もあり、通常、第１係合部の正射影像内に第２係合部の正射影像が含まれる。以下の説明においても同様である。また、蓄電装置−Ａの外部接続用第１端子と蓄電装置−Ｂの外部接続用第２端子とを電気的に接続し、蓄電装置−Ａの外部接続用第２端子と蓄電装置−Ｃの外部接続用第１端子とを電気的に接続する。【０００９】
上記の目的を達成するための本開示の蓄電装置組立体の組み立て方法は、
複数の蓄電装置、及び、
複数の蓄電装置を架載するラック、
を備えており、
各蓄電装置は、
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の縁部には、第１係合部及び第２係合部が設けられている蓄電装置組立体の組み立て方法であって、
ラックに架載された高圧側の蓄電装置に隣接して、カバー部材を外した状態で低圧側の蓄電装置をラックに架載し、次いで、
高圧側の蓄電装置の外部接続用第２端子と低圧側の蓄電装置の外部接続用第１端子とを電気的に接続し、その後、
高圧側の蓄電装置のカバー部材における第２係合部に、低圧側の蓄電装置のカバー部材における第１係合部が係合するように、且つ、低圧側の蓄電装置におけるカバー部材の内面とケースの第１面とが対向し、接続部が導通状態切替え手段と嵌合するように、ケースにカバー部材を取り付け、カバー部材で第１開口部、第２開口部、外部接続用第１端子及び外部接続用第２端子を覆う、
各工程から成る。【００１０】
上記の目的を達成するための本開示の電気・電子機器は、上記の本開示の蓄電装置を有しており、蓄電装置から電力の供給を受ける。あるいは又、上記の目的を達成するための本開示の電気・電子機器は、上記の本開示の蓄電装置組立体を有しており、蓄電装置組立体から電力の供給を受ける。【００１１】
また、上記の目的を達成するための本開示の電動移動手段は、
上記の本開示の蓄電装置、
蓄電装置から電力の供給を受けて車両の駆動力に変換する変換装置、及び、
蓄電装置に関する情報に基づいて車両制御に関する情報処理を行う制御装置、
を有する。あるいは又、上記の目的を達成するための本開示の電動移動手段は、
上記の本開示の蓄電装置組立体、
蓄電装置組立体から電力の供給を受けて車両の駆動力に変換する変換装置、及び、
蓄電装置組立体に関する情報に基づいて車両制御に関する情報処理を行う制御装置、
を有する。【００１２】
更には、上記の目的を達成するための本開示の電力システムは、上記の本開示の蓄電装置、及び、他の機器とネットワークを介して情報を受信する受信部を備えており、受信部が受信した情報に基づき蓄電装置の充放電制御を行う。あるいは又、上記の目的を達成するための本開示の電力システムは、上記の本開示の蓄電装置を有しており、蓄電装置から電力の供給を受け、又は、発電装置若しくは電力網から蓄電装置に電力を供給する。あるいは又、上記の目的を達成するための本開示の電力システムは、上記の本開示の蓄電装置組立体、及び、他の機器とネットワークを介して情報を受信する受信部を備えており、受信部が受信した情報に基づき蓄電装置組立体の充放電制御を行う。あるいは又、上記の目的を達成するための本開示の電力システムは、上記の本開示の蓄電装置組立体を有しており、蓄電装置組立体から電力の供給を受け、又は、発電装置若しくは電力網から蓄電装置組立体に電力を供給する。
【発明の効果】
【００１３】
本開示の蓄電装置、あるいは、本開示の蓄電装置を適用した本開示の電気・電子機器、電動移動手段、電力システムにあっては、カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆う。それ故、この状態にあっては、電子部品へのアクセスができず、しかも、外部接続用第１端子及び外部接続用第２端子が外部に露出した状態となっていない。それ故、蓄電装置に非常に高い安全性を付与することができる。本開示の蓄電装置組立体あるいはその組み立て方法にあっては、本開示の蓄電装置の有する非常に高い安全性が付与されるだけでなく、一の蓄電装置のカバー部材における第１係合部と、この一の蓄電装置に隣接する蓄電装置のカバー部材における第２係合部とが係合する。即ち、一の蓄電装置及びそれに隣接する蓄電装置のラックへの架載順序がカバー部材によって規定される結果、蓄電装置組立体に非常に高い安全性を付与することができる。尚、本明細書に記載された効果はあくまで例示であって限定されるものでは無く、また、付加的な効果があってもよい。
【図面の簡単な説明】
【００１４】
【図１】図１Ａ及び図１Ｂは、実施例１の蓄電装置のカバー部材を取り外した状態における模式的な斜視図、及び、蓄電装置の原理図である。
【図２】図２は、実施例１の蓄電装置の模式的な斜視図である。
【図３】図３は、実施例１の蓄電装置のカバー部材の内面の模式的な斜視図である。
【図４】図４は、導通状態切替え手段及び接続部を拡大して示す模式的な斜視図である。
【図５】図５は、電池部を構成する二次電池の概念図である。
【図６】図６Ａ、図６Ｂ及び図６Ｃは、それぞれ、ヒューズ等の配置位置を示す蓄電装置の概念図である。
【図７】図７は、実施例２の蓄電装置におけるカバー部材の模式的な斜視図である。
【図８】図８は、実施例３の蓄電装置組立体における蓄電装置をラックに架載している状態を示す模式図である。
【図９】図９Ａ及び図９Ｂは、実施例３の蓄電装置組立体における蓄電装置をラックに架載している状態を示す概念図である。
【図１０】図１０は、実施例３の蓄電装置組立体の変形例における蓄電装置をラックに架載した状態を示す模式図（正面図）である。
【図１１】図１１は、実施例３の蓄電装置組立体の変形例における蓄電装置をラックに架載している状態を示す模式図である。
【図１２】図１２は、実施例４の電力システムを説明するためのブロック図である。
【図１３】図１３は、実施例５の電動移動手段を説明するためのブロック図である。
【発明を実施するための形態】
【００１５】
以下、図面を参照して、実施例に基づき本開示を説明するが、本開示は実施例に限定されるものではなく、実施例における種々の数値や材料は例示である。尚、説明は、以下の順序で行う。
１．本開示の蓄電装置、蓄電装置組立体、電気・電子機器、電動移動手段及び電力システム、並びに、蓄電装置組立体の組み立て方法、全般に関する説明
２．実施例１（本開示の蓄電装置）
３．実施例２（実施例１の変形）
４．実施例３（本開示の蓄電装置組立体及び本開示の蓄電装置組立体の組み立て方法）
５．実施例４（本開示の電気・電子機器、電動移動手段及び電力システム）
６．実施例５（本開示の電動移動手段）
７．その他
【００１６】
〈本開示の蓄電装置、蓄電装置組立体、電気・電子機器、電動移動手段及び電力システム、並びに、蓄電装置組立体の組み立て方法、全般に関する説明〉
本開示の蓄電装置組立体において、あるいは又、本開示の蓄電装置組立体の組み立て方法における蓄電装置組立体において、第１係合部及び第２係合部は、低圧側の蓄電装置のカバー部材における第１係合部が、高圧側の蓄電装置のカバー部材における第２係合部に対して係合する構造を有する形態とすることができる。
【００１７】
そして、本開示の蓄電装置組立体のこのような形態において、あるいは又、本開示の蓄電装置組立体の組み立て方法における蓄電装置組立体のこのような形態において、
第１係合部は、カバー部材から突出しており、
低圧側の蓄電装置のカバー部材における第１係合部と高圧側の蓄電装置のカバー部材における第２係合部が係合するとき、低圧側の蓄電装置のカバー部材における第１係合部は高圧側の蓄電装置のカバー部材における第２係合部を覆う構成とすることができる。
【００１８】
あるいは又、本開示の蓄電装置組立体のこのような形態において、あるいは又、本開示の蓄電装置組立体の組み立て方法における蓄電装置組立体のこのような形態において、
第１係合部は、第１突出部及び第１凹部から構成されており、
第２係合部は、第２凹部及び第２突出部から構成されており、
低圧側の蓄電装置のカバー部材における第１係合部の第１突出部と高圧側の蓄電装置のカバー部材における第２係合部の第２凹部が係合するとき、低圧側の蓄電装置のカバー部材における第１係合部の第１突出部は高圧側の蓄電装置のカバー部材における第２係合部の第２凹部を覆い、
低圧側の蓄電装置のカバー部材における第１係合部の第２凹部と高圧側の蓄電装置のカバー部材における第２係合部の第２突出部が係合するとき、低圧側の蓄電装置のカバー部材における第１係合部の第１凹部に高圧側の蓄電装置のカバー部材における第２係合部の第２突出部が納まる構成とすることができる。
【００１９】
上記の各種好ましい形態、構成を含む本開示の蓄電装置組立体における蓄電装置、上記の各種好ましい形態、構成を含む本開示の蓄電装置組立体の組み立て方法における蓄電装置、本開示の蓄電装置、本開示の電気・電子機器、電動移動手段、電力システムにおける蓄電装置（以下、これらを総称して、『本開示の蓄電装置等』と呼ぶ場合がある）において、カバー部材の縁部には、他の蓄電装置を構成するカバー部材の縁部と係合する係合部が設けられている形態とすることができる。
【００２０】
上記の好ましい形態を含む本開示の蓄電装置等において、
導通状態切替え手段は、
電池部の第１端子部に接続され、第１開口部に対向してケース内に配置された内部第１端子、及び、
外部接続用第１端子に接続され、第１開口部に対向してケース内に配置された内部第２端子、
を備えており、
接続部は、内部第１端子及び内部第２端子に嵌合する構成とすることができる。
【００２１】
そして、このような構成の本開示の蓄電装置等において、
接続部は、板状の導電材料が折曲げられて成り、第１脚部及び第２脚部を有しており、
第１開口部と対向する内部第１端子の対向面には第１スリット部が設けられており、
第１開口部と対向する内部第２端子の対向面には第２スリット部が設けられており、
接続部と導通状態切替え手段とが嵌合するとき、接続部の第１脚部が第１スリット部に挿入され、接続部の第２脚部が第２スリット部に挿入される構成とすることができる。そして、これらの構成の場合、電池部の第１端子部と内部第１端子との間、又は、外部接続用第１端子と内部第２端子との間、又は、電池部の第１端子部と内部第１端子との間及び外部接続用第１端子と内部第２端子との間には、ヒューズが挿入されている構成とすることができる。
【００２２】
更には、以上に説明した好ましい形態、構成を含む本開示の蓄電装置等において、電子部品は、蓄電装置のアドレスを設定するスイッチ装置である構成とすることができる。更には、以上に説明した好ましい形態、構成を含む本開示の蓄電装置等において、外部の制御装置との通信のための通信用端子を更に備えている構成とすることができる。
【００２３】
更には、以上に説明した好ましい形態、構成を含む本開示の蓄電装置等にあっては、再生可能エネルギーに基づき発電を行う発電装置によって充電される形態とすることができる。更には、以上に説明した好ましい形態、構成を含む本開示の蓄電装置等にあっては、電気・電子機器に電力を供給する形態とすることができる。
【００２４】
通常、複数の蓄電装置を接続して使用する場合、複数の蓄電装置に対して共通の制御装置（コントローラ）が蓄電装置の外部が設けられている。そして、蓄電装置と制御装置との間で上記の通信用端子を介して通信がなされ、各蓄電装置の充電動作、放電動作等が制御装置によって制御される。制御装置が複数の蓄電装置からの電圧等の情報を受信し、各蓄電装置を制御する処理のために、各蓄電装置に対して識別用のアドレスが割り当てられる。本開示の蓄電装置等における電子部品として、上述したとおり、例えば、このような蓄電装置のアドレスを設定するためのスイッチ装置（例えば、ロータリースイッチ）を挙げることができる。制御装置は、また、外部の装置や設備に接続されており、あるいは又、外部の装置や設備に組み込まれている。
【００２５】
本開示の蓄電装置等における電池部は、多数の電池ブロックが外装ケースに収納された蓄電モジュール（組電池とも呼ばれる）から構成される。ここで、電池ブロックは、二次電池（単位電池、単電池あるいはセルとも呼ばれる）を、複数個（例えば８個）、並列及び／又は直列に接続した蓄電モジュールから構成される。二次電池は、例えば、リチウムイオン電池から構成される。蓄電装置組立体にあっては、多数の蓄電装置が、直列、あるいは、直列及び並列に接続されている。そして、蓄電装置組立体は、例えば、太陽電池、風力発電等の新エネルギー（再生可能エネルギー）システムと組み合わせた電力貯蔵システムや、自動車等に適用される。一例として、１つの蓄電装置の出力電圧が数十ボルトとされている。そして、このような蓄電装置を、複数個、直列、あるいは、直列及び並列に接続して数百ボルトの出力電圧を得ることができる。特に、このように高電圧を発生させる場合、上述したとおり、安全性に充分なる考慮を払うことが必要とされる。尚、二次電池として、リチウムイオン電池以外にも、例えば、マグネシウムイオン電池、金属及び合金材料を含む負極活物質を含有する負極を有する金属空気二次電池（負極活物質に用いることができる金属及び合金材料として、例えば、リチウム、ナトリウム、カリウム等のアルカリ金属；マグネシウム、カルシウム等の第２族元素；アルミニウム等の第１３族元素；亜鉛、鉄等の遷移金属；又は、これらの金属を含有する合金材料や化合物を例示することができる）、リチウム−硫黄二次電池、ナトリウム−硫黄二次電池、ナトリウム−塩化ニッケル二次電池、ナトリウムイオン二次電池、多価カチオン二次電池、各種有機二次電池、ニッケル−水素二次電池を挙げることができる。また、電池部を、電気二重層キャパシタ（Electric Double Layer Capaciter）から構成することもできる。
【００２６】
ケースは、高い熱伝導率及び熱輻射率を有する材料、例えば、アルミニウム、アルミニウム合金、銅、銅合金から作製することが好ましい。優れた放熱性を得ることができ、ケース内の温度上昇を抑制することができるし、ケースの開口部を最小限とすることができ、高い防塵製、防滴性を実現することができる。ケースは、板金加工に基づき作製することができる。ケースの第１面及びカバー部材は、高い絶縁性、高い難燃性、高い耐候性を有するプラスチック材料から作製することができる。第１係合部及び第２係合部は、カバー部材と一体に作製されており、あるいは又、カバー部材と別に作製されており、カバー部材に取り付けられている。後者の場合、第１係合部及び第２係合部は、高い絶縁性、高い難燃性、高い耐候性を有するプラスチック材料から作製すればよく、例えば、ボルト及びナット等を用いてカバー部材に取り付けることができるし、接着剤等を用いてカバー部材に取り付けることができる。外部接続用第１端子及び外部接続用第２端子は、外部からの配線と接続することができる構造を有する周知の端子とすることができる。導通状態切替え手段（内部第１端子及び内部第２端子）は、例えば、銅、銅合金、アルミニウム、アルミニウム合金のような電気抵抗値が比較的低く、比較的安価で加工性のよい金属材料あるいは合金材料から、適宜、選択、作製すればよい。
【００２７】
また、接続部とカバー部材とは部品の共通化の観点から一体に作製されていてもよいし、接続部とカバー部材とを別個の部材として作製することもできる。前者の場合、前述した、折曲げられて成り、第１脚部及び第２脚部を有する板状の導電材料（以下、単に、『板状の導電材料』と呼ぶ場合がある）をカバー部材に取り付ければよい。後者の場合、カバー部材は、接続部、第１開口部、第２開口部、外部接続用第１端子及び外部接続用第２端子を覆っていてもよいし、接続部が第１開口部を覆い、カバー部材は、接続部、第２開口部、外部接続用第１端子及び外部接続用第２端子を覆っていてもよいし、接続部が第１開口部及び第２開口部を覆い、カバー部材は、接続部、外部接続用第１端子及び外部接続用第２端子を覆っていてもよい。そして、高い絶縁性、高い難燃性、高い耐候性を有するプラスチック材料、及び、前述した板状の導電材料から接続部を構成することができ、あるいは又、高い絶縁性、高い難燃性、高い耐候性を有するプラスチック材料に、例えば、銅層をメッキすることで、接続部を得ることができる。
【００２８】
ラックは、複数の蓄電装置を架載するのに充分な強度を有する材料、例えば、金属や合金から作製すればよい。通信用端子は、使用する通信用ケーブルに合わせた構成、構造を有する端子とすればよい。
【００２９】
電気・電子機器として、具体的には、テレビジョン受像機、冷蔵庫、空調装置、風呂設備といった各種電子機器、電気機器；電動ドリルや電動鋸等の電動工具；ネットワークサーバ；非常時等に備えて電力を蓄積しておく家庭用バッテリシステム等の電力貯蔵システムやホームエネルギーサーバ（家庭用蓄電装置）；蓄電ユニットやバックアップ電源を例示することができる。また、電動移動手段は、蓄電装置や蓄電装置組立体を駆動用電源として作動（走行）する移動手段であり、電動移動手段として、電動自動車、電動バイク、電動自転車、セグウェイ（登録商標）等の電動車両；電力駆動力変換装置（具体的には、例えば、動力用モータ）によって駆動される航空機や船舶を例示することができる。尚、例えば、二次電池以外の駆動源を併せて備えた自動車（ハイブリッド自動車等）であってもよい。
【実施例１】
【００３０】
実施例１は、本開示の蓄電装置に関する。実施例１の蓄電装置のカバー部材を取り外した状態における模式的な斜視図を図１Ａに示し、蓄電装置の原理図を図１Ｂに示し、蓄電装置の模式的な斜視図を図２に示し、蓄電装置のカバー部材の内面（内側面）の模式的な斜視図を図３に示す。また、導通状態切替え手段及び接続部を拡大して示す模式的な斜視図を図４に示し、電池部を構成する二次電池の概念図を図５に示し、ヒューズ等の配置位置を示す蓄電装置の概念図を図６Ａ、図６Ｂ及び図６Ｃに示す。【００３１】
実施例１の蓄電装置１は、
（ａ）第１端子部（例えば、正極端子部）６２及び第２端子部（例えば、負極端子部）６３を備えた電池部６０が収容され、第１面１１に第１開口部２１及び第２開口部２２が設けられたケース１０、
（ｂ）ケース１０の第１面１１に配置された外部接続用第１端子３１、
（ｃ）ケース１０の第１面１１に配置され、電池部６０の第２端子部６３に接続された外部接続用第２端子３２、
（ｄ）ケース１０内に、第１開口部２１に対向して、電池部６０の第１端子部６２と外部接続用第１端子３１との間に配置され、電池部６０の第１端子部６２と外部接続用第１端子３１との間を導通状態又は非導通状態とする導通状態切替え手段４１、
（ｅ）第２開口部２２と対向してケース１０内に配置され、外部からアクセス可能な電子部品（図示せず）、並びに、
（ｆ）ケース１０の第１面１１と対向した内面（内側面）５０’に設けられ、導通状態切替え手段４１を導通状態又は非導通状態とする接続部５１を有するカバー部材５０、
から構成されている。【００３２】
そして、カバー部材５０の内面５０’とケース１０の第１面１１とが対向し、且つ、接続部５１が導通状態切替え手段４１と嵌合した状態で、カバー部材５０は、ケース１０の第１面１１に取り付けられ、第１開口部２１、第２開口部２２、外部接続用第１端子３１及び外部接続用第２端子３２を覆う。具体的には、カバー部材５０は、ケース１０の第１面１１にビス止めされる。【００３３】
また、カバー部材５０の縁部には、他の蓄電装置を構成するカバー部材５０の縁部と係合する係合部５４，５５が設けられている。具体的には、カバー部材５０の上部縁部には、他の蓄電装置を構成するカバー部材５０の下部縁部に向けられた係合部５５と係合する係合部５４が設けられている。尚、参照番号５６及び参照番号５７は、カバー部材５０の側壁である。具体的には、蓄電装置−Ａの第１係合部５４は、カバー部材５０の上端部においてカバー部材５０から突出している。そして、蓄電装置−Ｂの第２係合部５５と係合するとき、蓄電装置−Ａのカバー部材５０における第１係合部５４は、蓄電装置−Ｂのカバー部材５０における第２係合部５５を覆う。【００３４】
更には、導通状態切替え手段４１は、
電池部６０の第１端子部６２に接続され、第１開口部２１に対向してケース１０内に配置された内部第１端子４２、及び、
外部接続用第１端子３１に接続され、第１開口部２１に対向してケース１０内に配置された内部第２端子４３、
を備えており、
接続部５１は、内部第１端子４２及び内部第２端子４３に嵌合する。【００３５】
ここで、接続部５１は、板状の導電材料が折曲げられて成り、第１脚部５２及び第２脚部５３を有する。即ち、接続部５１の外形形状は、略「コ」の字状であり、「コ」の字の上側の横棒が第１脚部５２に該当し、「コ」の字の下側の横棒が第２脚部５３に該当する。そして、接続部５１は（具体的には、「コ」の字の縦棒の部分に該当する接続部５１の部分）は、カバー部材５０の内面５０’（より具体的には、後述する開口部５８の底面）にビス止めされている。図４においては、内面５０’の一部を点線で示した。また、第１開口部２１と対向する内部第１端子４２の対向面には第１スリット部４２Ａが設けられており、第１開口部２１と対向する内部第２端子４３の対向面には第２スリット部４３Ａが設けられている。内部第１端子４２及び内部第２端子４３のそれぞれは、ケース１０の第１面１１にビス止めされている。そして、接続部５１と導通状態切替え手段４１とが嵌合するとき、接続部５１の第１脚部５２が第１スリット部４２Ａに挿入され、接続部５１の第２脚部５３が第２スリット部４３Ａに挿入される。【００３６】
概念図を図６Ａ、図６Ｂ、図６Ｃに示すように、電池部６０の第１端子部６２と内部第１端子４２との間（図６Ａ参照）、又は、外部接続用第１端子３１と内部第２端子４３との間（図６Ｂ参照）、又は、電池部６０の第１端子部６２と内部第１端子４２との間及び外部接続用第１端子３１と内部第２端子４３との間（図６Ｃ参照）には、ヒューズ６４，６５が挿入されている。【００３７】
カバー部材５０の略中央部分には、開口部５８が設けられている。そして、この開口部５８に対向したケース１０の第１面１１の凹部２３の底部には、外部の制御装置との通信のための通信用端子（図示せず）が設けられている。通信用端子は、使用する通信用ケーブルに合わせた構成、構造を有する端子とすればよい。また、この開口部５８に対向したケース１０の第１面１１の凹部２４の底部には、複数の発光素子（具体的には、複数の発光色の異なるＬＥＤであるが、図示せず）が配置されており、蓄電装置１の動作状態が判るようになっている。具体的には、例えば、緑色のＬＥＤが点灯している場合、蓄電装置は正常に動作していることを示し、赤色のＬＥＤが点灯している場合、蓄電装置には異常が発生していることを示す。カバー部材５０がケース１０の第１面１１に取り付けられた状態にあっても、外部から通信用端子にアクセスすることができるし、外部からＬＥＤを視認することができる。【００３８】
また、図示しない電子部品は、例えば、蓄電装置１のアドレスを設定するスイッチ装置（具体的には、ロータリースイッチ）、スライドスイッチ及びＪＴＡＧ（Joint Test Action Group）コネクタから成る。スライドスイッチは、ロータリースイッチにより指定されるアドレスを増やすために使用される。ＪＴＡＧコネクタを介して、ケース内部に納められた制御部を構成するＭＰＵやＩＣ等の検査のためにテストデータが入出力され、また、ＭＰＵのファームウエアの書き換えを行うことができる。尚、電子部品として、以上に説明した電子部品以外のスイッチング部品、コネクタ等を使用してもよい。また、ケース１０の第１面１１には、アース端子２５が設けられている。【００３９】
以上のとおり、ケース１０の第１面１１において、第１面１１の上端部側から下端部側に向かって、通信用端子、複数の発光素子、電子部品、導通状態切替え手段４１が配列されているが、配列はこれに限定するものではない。【００４０】
ケース１０の側面１２，１３，１４、天板１５、底板（図示せず）は、高い熱伝導率及び熱輻射率を有する材料、例えば、アルミニウムから、板金加工に基づき作製されている。また、ケース１０の第１面１１及びカバー部材５０は、高い絶縁性、高い難燃性、高い耐候性を有するプラスチック材料、例えば、ポリカーボネート（ＰＣ）から作製されている。カバー部材５０の内面５０’には、図３に示すように、多数の補強部が設けられているが、詳しい説明は省略する。第１係合部５４及び第２係合部５５は、カバー部材５０と一体に作製されている。外部接続用第１端子３１及び外部接続用第２端子３２は、外部からの配線と接続することができる構造を有する周知の端子から構成されている。導通状態切替え手段４１（内部第１端子４２及び内部第２端子４３）並びに接続部５１は、電気抵抗値が低く、コストが比較的安い金属材料や合金材料、例えば、銅、銅合金、アルミニウム、アルミニウム合金から作製されている。【００４１】
電池部６０は、多数の電池ブロックが外装ケースに収納された蓄電モジュール（組電池）から構成される。電池ブロックは、二次電池（単位電池、単電池あるいはセルとも呼ばれる）６１を、複数個（図５に図示した例では７個）、並列及び／又は直列に接続した蓄電モジュールから構成される。二次電池６１は、例えば、リチウムイオン電池から構成される。尚、図５においては、図面の簡素化のために、電池部６０は、二次電池６１が配列されたものとして図示している。【００４２】
以上に説明した実施例１の蓄電装置にあっては、再生可能エネルギーに基づき発電を行う発電装置によって充電される。これに関しては実施例４において詳述する。あるいは又、以上に説明した実施例１の蓄電装置にあっては、電気・電子機器に電力を供給する。云い換えれば、電気・電子機器は、実施例１あるいは後述する実施例２の蓄電装置、後述する実施例３の蓄電装置組立体を有しており、実施例１あるいは後述する実施例２の蓄電装置、後述する実施例３の蓄電装置組立体から電力の供給を受ける。このような電気・電子機器や、設備、機器、装置等として、具体的には、テレビジョン受像機、冷蔵庫、空調装置、風呂設備といった各種電子機器、電気機器；電動ドリルや電動鋸等の電動工具；ネットワークサーバ；非常時等に備えて電力を蓄積しておく家庭用バッテリシステム等の電力貯蔵システムやホームエネルギーサーバ（家庭用蓄電装置）；蓄電ユニットやバックアップ電源；電力の周波数調整用電源装置を例示することができ、電気・電子機器と蓄電装置あるいは蓄電装置組立体とは周知の方法で接続すればよい。【００４３】
蓄電装置１内には、電池部６０（二次電池６１）の電圧、電流、温度の監視を行う制御部（図示せず）が設けられている。制御部からの情報は、外部に配置された制御装置（図示せず）に送信される。制御装置は、充電管理、放電管理、劣化抑制等のための管理を行う。【００４４】
通信用端子を介した蓄電装置１の制御部と制御装置との間の通信には、例えば、シリアルインターフェースが使用される。シリアルインターフェースとして、例えば、Ｉ2Ｃ（Inter-Integrated Circuit）方式、ＳＭバス（System Management Bus）、ＣＡＮ（Controller Area Network）、ＳＰＩ（Serial Peripheral Interface）を挙げることができる。【００４５】
実施例１の蓄電装置１において、カバー部材５０をケース１０の第１面１１に取り付けた状態では、カバー部材５０が、電子部品の操作面の前方に位置する第２開口部２２を覆っている。それ故、電池部６０の第１端子部６２と外部接続用第１端子３１との間が導通状態である場合であっても、電子部品へのアクセスが阻止される。一方、カバー部材５０がケース１０の第１面１１に取り付けられていない状態では、電子部品の操作面の前方に位置する第２開口部２２は開放状態にある。それ故、第２開口部２２を介して、例えば、電子部品の操作面を操作して蓄電装置１のアドレスを設定することができる。設定操作をケース１０の外側から行うことによって、ケース１０の内部で電子部品を操作する場合と比較して作業性を向上できると共に、安全性を高めることができる。特に、複数の蓄電装置を直列に接続した場合、高圧側の蓄電装置の内部回路の電位が低圧側の蓄電装置の内部回路の電位に比して全体として高くなるが、設定操作をケース１０の外側から行うことができるので、安全性の向上を図ることができる。【００４６】
以上に説明したとおり、実施例１の蓄電装置にあっては、カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆う。それ故、この状態にあっては、電子部品へのアクセスができず、しかも、外部接続用第１端子及び外部接続用第２端子が外部に露出した状態となっていないので、蓄電装置に非常に高い安全性を付与することができる。
【実施例２】
【００４７】
実施例２は、実施例１の変形であり、第１係合部７４及び第２係合部７５の形状が実施例１と異なる。実施例２の蓄電装置におけるカバー部材の模式的な斜視図を図７に示す。尚、実施例２においても、カバー部材の略中央部分には実施例１の開口部５８と同様の開口部が設けられているが、図７においてはこの開口部の図示を省略した。【００４８】
実施例２の蓄電装置において、第１係合部７４は、第１突出部７４Ａ及び第１凹部（第１溝部）７４Ｂから構成されており、第２係合部７５は、第２凹部（第２溝部）７５Ｂ及び第２突出部７５Ａから構成されている。そして、低圧側の蓄電装置（蓄電装置−Ａ）のカバー部材７０における第１係合部７４の第１突出部７４Ａと高圧側の蓄電装置（蓄電装置−Ｂ）のカバー部材７０における第２係合部７５の第２凹部７５Ｂが係合するとき、蓄電装置−Ａのカバー部材７０における第１係合部７４の第１突出部７４Ａは蓄電装置−Ｂのカバー部材７０における第２係合部７５の第２凹部７５Ｂを覆う。また、蓄電装置−Ａのカバー部材７０における第１係合部７４の第２凹部７４Ｂと蓄電装置−Ｂのカバー部材７０における第２係合部７５の第２突出部７５Ａが係合するとき、蓄電装置−Ａのカバー部材７０における第１係合部７４の第１凹部７４Ｂに蓄電装置−Ｂのカバー部材７０における第２係合部７５の第２突出部７５Ａが納まる。【００４９】
第１係合部７４の第１突出部７４Ａは、略「コ」の外形形状を有し、第２係合部７５の第２凹部７５Ｂは、第１係合部７４の第１突出部７４Ａと略相補的な形状を有する。また、第２係合部７５の第１突出部７５Ａも、略「コ」の外形形状を有し、第１係合部７４の第１凹部７４Ｂは、第２係合部７５の第２突出部７５Ａと略相補的な形状を有する。第１突出部７４Ａと第２凹部７５Ｂとは、雄雌の関係にあるし、第２突出部７５Ａと第１凹部７４Ｂとも、雄雌の関係にある。【００５０】
以上の点を除き、実施例２の蓄電装置の構成、構造は、実施例１において説明した蓄電装置の構成、構造と同様とすることができるので、詳細な説明は省略する。
【実施例３】
【００５１】
実施例３は、本開示の蓄電装置組立体及び本開示の蓄電装置組立体の組み立て方法に関する。実施例３の蓄電装置組立体には、実施例１あるいは実施例２において説明した蓄電装置が、複数、組み込まれている。実施例３の蓄電装置組立体における蓄電装置をラックに架載している状態を示す模式図を図８に示し、実施例３の蓄電装置組立体における蓄電装置をラックに架載している状態を示す概念図を図９Ａ及び図９Ｂに示す。また、実施例３の蓄電装置組立体の変形例における蓄電装置をラックに架載した状態を示す模式図（正面図）を図１０に示し、実施例３の蓄電装置組立体の変形例における蓄電装置をラックに架載している状態を示す模式図を図１１に示す。【００５２】
実施例３の蓄電装置組立体８０は、複数の蓄電装置１、及び、複数の蓄電装置１を架載する（取り付ける）金属製のラック８１を備えている。そして、各蓄電装置１は、実施例１あるいは実施例２において説明した蓄電装置から構成されている。ここで、実施例１に説明したと同様に、蓄電装置１にあっては、カバー部材５０の内面５０’とケース１０の第１面１１とが対向し、且つ、接続部５１が導通状態切替え手段４１と嵌合した状態で、カバー部材５０は、ケース１０の第１面１１に取り付けられ、第１開口部２１、第２開口部２２、外部接続用第１端子３１及び外部接続用第２端子３２を覆う。また、カバー部材５０の縁部には、第１係合部５４及び第２係合部５５が設けられており、一の蓄電装置のカバー部材５０における第１係合部５４と、この一の蓄電装置に隣接する蓄電装置のカバー部材５０における第２係合部５５とが係合する。尚、ラック８１には制御装置も架載されているが、制御装置の図示は省略した。【００５３】
具体的には、第１係合部５４及び第２係合部５５は、低圧側の蓄電装置（蓄電装置−Ａ）のカバー部材５０における第１係合部５４が、高圧側の蓄電装置（蓄電装置−Ｂ）のカバー部材５０における第２係合部５５に対して係合する。【００５４】
より具体的には、図８、図９に示すように、実施例１と同様に、第１係合部５４は、カバー部材５０から突出しており、蓄電装置−Ａのカバー部材５０における第１係合部５４と蓄電装置−Ｂのカバー部材５０における第２係合部５５が係合するとき、蓄電装置−Ａのカバー部材５０における第１係合部５４は蓄電装置−Ｂのカバー部材５０における第２係合部５５を覆う。【００５５】
あるいは又、より具体的には、図１０、図１１に示すように、実施例２と同様に、
第１係合部７４は、第１突出部７４Ａ及び第１凹部（第１溝部）７４Ｂから構成されており、
第２係合部７５は、第２凹部（第２溝部）７５Ｂ及び第２突出部７５Ａから構成されており、
蓄電装置−Ａのカバー部材７０における第１係合部７４の第１突出部７４Ａと蓄電装置−Ｂのカバー部材７０における第２係合部７５の第２凹部７５Ｂが係合するとき、蓄電装置−Ａのカバー部材７０における第１係合部７４の第１突出部７４Ａは蓄電装置−Ｂのカバー部材７０における第２係合部７５の第２凹部７５Ｂを覆う。また、蓄電装置−Ａのカバー部材７０における第１係合部７４の第２凹部７４Ｂと蓄電装置−Ｂのカバー部材７０における第２係合部７５の第２突出部７５Ａが係合するとき、蓄電装置−Ａのカバー部材７０における第１係合部７４の第１凹部７４Ｂに蓄電装置−Ｂのカバー部材７０における第２係合部７５の第２突出部７５Ａが納まる。【００５６】
第１係合部５４，７４及び第２係合部５５，７５をこのような構成、構造とすることで、蓄電装置−Ｂ、蓄電装置−Ａの順（即ち、高圧側の蓄電装置から低圧側の蓄電装置の順）でしか、蓄電装置をラックに架載することができないし、蓄電装置をラックから取り外すとき、蓄電装置−Ａ、蓄電装置−Ｂの順（即ち、低圧側の蓄電装置から高圧側の蓄電装置の順）でしか、蓄電装置をラックから取り外すことができない。それ故、蓄電装置組立体の組立てに高い安全性を付与することができる。【００５７】
以下、実施例１あるいは実施例２において説明した蓄電装置１を用いた実施例３の蓄電装置組立体の組み立て方法を説明する。ここで、ラック８１には、既に、１つ又は複数の蓄電装置が架載されているとする。図８、図１１に示した例では、既に、５つの蓄電装置の蓄電装置組立体への取付けが完了しており、３つの蓄電装置が、これから蓄電装置組立体に取り付けられる状態を示している。【００５８】
［工程−３００］
先ず、架載された（取り付けられた）蓄電装置−Ｂに隣接して、カバー部材５０，７０を外した状態で低圧側の蓄電装置（蓄電装置−Ａ）をラック８１に架載する（取り付ける）。尚、図８、図１１には、３つの蓄電装置が、この状態にあることを示している。【００５９】
［工程−３１０］
次いで、蓄電装置−Ｂの外部接続用第２端子３２と蓄電装置−Ａの外部接続用第１端子３１とを電気的に接続する（配線する）。尚、図示した例では、蓄電装置が直列に接続されているが、蓄電装置組立体に仕様に応じて、蓄電装置を直列及び並列に接続することもできる。【００６０】
［工程−３２０］
その後、蓄電装置−Ｂのカバー部材５０，７０における第２係合部５５，７５に、蓄電装置−Ａのカバー部材５０，７０における第１係合部５４，７４が係合するように、且つ、蓄電装置−Ａにおけるカバー部材５０，７０の内面５０’とケース１０の第１面１１とが対向し、接続部５１が導通状態切替え手段４１と嵌合するように、ケース１０にカバー部材５０，７０を取り付け、カバー部材５０，７０で第１開口部２１、第２開口部２２、外部接続用第１端子３１及び外部接続用第２端子３２を覆う（図９Ａ及び図９Ｂも参照）。【００６１】
尚、［工程−３００］、［工程−３１０］、［工程−３２０］を１つの蓄電装置において実行し、これらの［工程−３００］、［工程−３１０］、［工程−３２０］を繰り返すことで、全ての蓄電装置をラック８１に取り付け、蓄電装置組立体の組立てを完了してもよい。あるいは又、［工程−３００］を２つ以上の蓄電装置（最大、ラック８１に架載すべき全ての蓄電装置）に対して実行し、次いで、これらの蓄電装置の全てに対して［工程−３１０］を実行し、次いで、これらの蓄電装置の全てに対して［工程−３２０］を実行してもよい。あるいは又、［工程−３００］を２つ以上の蓄電装置（最大、ラック８１に架載すべき全ての蓄電装置）に対して実行し、次いで、これらの蓄電装置の内の適宜の数の蓄電装置に対して［工程−３１０］、［工程−３２０］を実行し、［工程−３１０］、［工程−３２０］を繰り返すことで、蓄電装置組立体の組立てを完了してもよい。【００６２】
実施例３の蓄電装置組立体あるいはその組み立て方法にあっては、実施例１〜実施例２の蓄電装置の有する非常に高い安全性が付与されるだけでなく、蓄電装置−Ａのカバー部材における第１係合部と、蓄電装置−Ｂのカバー部材における第２係合部とが係合するので、蓄電装置−Ａ及び蓄電装置−Ｂのラックへの架載順序（取付け順序）がカバー部材によって規定される。それ故、蓄電装置組立体に非常に高い安全性を付与することができる。【００６３】
接続部を導通状態切替え手段と嵌合させる前に、導通状態切替え手段の短絡を防止するために、接続部と同じ形状を有する絶縁材料部材を導通状態切替え手段と嵌合させておいて、蓄電装置組立体の組み立てを行ってもよい。また、実施例３の蓄電装置組立体にあっては、蓄電装置を上下方向（垂直方向）に配列したが、蓄電装置の配列方向は、上下方向（垂直方向）に限定するものではなく、水平方向（横方向）に配列してもよいし、上下方向と水平方向を組み合わせてもよい。
【実施例４】
【００６４】
実施例４は、実施例１〜実施例２の蓄電装置に関し、また、実施例３の蓄電装置組立体に関する。実施例４における蓄電装置（あるいは蓄電装置組立体）にあっては、再生可能エネルギーに基づき発電を行う発電装置によって充電されるし、電気・電子機器に電力を供給する。【００６５】
更には、実施例４の電気・電子機器は、実施例１〜実施例２の蓄電装置（あるいは実施例３の蓄電装置組立体）を有しており、実施例１〜実施例２の蓄電装置（あるいは実施例３の蓄電装置組立体）から電力の供給を受ける。また、実施例４の電力システムは、実施例１〜実施例２の蓄電装置（あるいは実施例３の蓄電装置組立体）、及び、他の機器とネットワークを介して情報を受信する受信部を備えており、受信部が受信した情報に基づき蓄電装置（あるいは蓄電装置組立体）の充放電制御を行う。あるいは又、実施例４の電力システムは、実施例１〜実施例２の蓄電装置（あるいは実施例３の蓄電装置組立体）を有しており、実施例１〜実施例２の蓄電装置（あるいは実施例３の蓄電装置組立体）から電力の供給を受け、又は、発電装置若しくは電力網から、実施例１〜実施例２の蓄電装置（あるいは実施例３の蓄電装置組立体）に電力を供給する。【００６６】
以下、実施例４を住宅用の電力システムに適用した例について、図１２を参照して説明する。【００６７】
例えば住宅１０１用の電力システム１００においては、火力発電１０２ａ、原子力発電１０２ｂ、水力発電１０２ｃ等の集中型電力系統１０２から電力網１０９、情報網１１２、スマートメータ１０７、パワーハブ１０８等を介して、電力が蓄電装置あるいは蓄電装置組立体（以下、『蓄電装置等１０３』と呼ぶ）に供給され、蓄電される。これと共に、家庭内発電装置１０４等の独立電源から電力が蓄電装置等１０３に供給され、蓄電される。蓄電装置等１０３から、住宅１０１で使用する電力が給電される。住宅１０１に限らずビルに関しても同様の電力システムを使用することができる。【００６８】
住宅１０１には、家庭内発電装置１０４、各種電気・電子機器（電力消費装置１０５）、蓄電装置等１０３、各装置を制御する制御装置１１０、スマートメータ１０７、各種情報を取得するセンサー１１１が設けられている。各装置は、電力網１０９及び情報網１１２によって接続されている。家庭内発電装置１０４として、太陽電池、燃料電池等が利用され、発電した電力が電力消費装置１０５及び／又は蓄電装置等１０３に供給される。電力消費装置１０５は、例えば、冷蔵庫１０５ａ、空調装置１０５ｂ、テレビジョン受信機１０５ｃ、風呂設備１０５ｄ等である。更に、電力消費装置には、電動移動手段（具体的には、電動車両１０６）が含まれる。電動車両１０６は、例えば、電気自動車１０６ａ、ハイブリッドカー１０６ｂ、電気バイク１０６ｃである。【００６９】
蓄電装置等１０３は、実施例１〜実施例２の蓄電装置、あるいは、実施例３の蓄電装置組立体から構成される。蓄電装置等１０３における電池部は、二次電池（例えばリチウムイオン電池）やキャパシタから構成されている。リチウムイオン電池は、定置型であっても、電動車両１０６で使用されるものでもよい。スマートメータ１０７は、商用電力の使用量を測定し、測定された使用量を、電力会社に送信する機能を備えている。電力網１０９は、直流給電、交流給電、非接触給電の何れか１つ、又は、複数を組み合わせて構成される。【００７０】
各種のセンサー１１１は、例えば人感センサー、照度センサー、物体検知センサー、消費電力センサー、振動センサー、接触センサー、温度センサー、赤外線センサー等である。各種センサー１１１により取得された情報は、制御装置１１０に送信される。センサー１１１からの情報によって、気象の状態、人の状態等が把握されて電力消費装置１０５を自動的に制御してエネルギー消費を最小とすることができる。更に、制御装置１１０は、住宅１０１に関する情報をインターネットを介して外部の電力会社等に送信することができる。【００７１】
パワーハブ１０８によって、電力線の分岐、直流交流変換等の処理がなされる。制御装置１１０と接続される情報網１１２の通信方式としては、ＵＡＲＴ（Universal Asynchronous Receiver-Tranceiver：非同期シリアル通信用送受信回路）等の通信インターフェースを使う方法、Ｂｌｕｅｔｏｏｔｈ（登録商標）、ＺｉｇＢｅｅ（登録商標）、Ｗｉ−Ｆｉ等の無線通信規格によるセンサーネットワークを利用する方法がある。Ｂｌｕｅｔｏｏｔｈ方式は、マルチメディア通信に適用され、一対多接続の通信を行うことができる。ＺｉｇＢｅｅは、ＩＥＥＥ８０２．１５．４の物理層を使用するものである。ＩＥＥＥ８０２．１５．４は、ＰＡＮ（Personal Area Network）又はＷ（Wireless）ＰＡＮと呼ばれる短距離無線ネットワーク規格の名称である。【００７２】
制御装置１１０は、外部のサーバ１１３と接続されている。このサーバ１１３は、住宅１０１、電力会社、サービスプロバイダーの何れかによって管理されていてもよい。サーバ１１３が送受信する情報は、例えば、消費電力情報、生活パターン情報、電力料金、天気情報、天災情報、電力取引に関する情報である。これらの情報は、家庭内の電力消費装置（例えばテレビジョン受信機）から送受信してもよいが、家庭外の装置（例えば、携帯電話機等）から送受信してもよい。これらの情報は、表示機能を有する機器、例えば、テレビジョン受信機、携帯電話機、ＰＤＡ（Personal Digital Assistants）等に表示されてもよい。【００７３】
各部を制御する制御装置１１０は、ＣＰＵ、ＲＡＭ、ＲＯＭ等で構成され、他の機器とネットワークを介して情報を受信する受信部を有し、蓄電装置等１０３に格納されている。そして、受信部が受信した情報に基づき蓄電装置等１０３の充放電制御が行われる。制御装置１１０は、家庭内発電装置１０４、電力消費装置１０５、各種センサー１１１、サーバ１１３と情報網１１２により接続され、例えば、商用電力の使用量と、発電量とを調整する機能を有している。尚、その他にも、電力市場で電力取引を行う機能等を備えていてもよい。【００７４】
以上のように、電力が火力発電１０２ａ、原子力発電１０２ｂ、水力発電１０２ｃ等の集中型電力系統１０２のみならず、家庭内発電装置１０４（太陽光発電、風力発電）の発電電力を、蓄電装置等１０３に蓄えることができる。従って、家庭内発電装置１０４の発電電力が変動しても、外部に送出する電力量を一定にしたり、又は、必要なだけ放電するといった制御を行うことができる。例えば、太陽光発電で得られた電力を蓄電装置等１０３に蓄えると共に、夜間は料金が安い深夜電力を蓄電装置等１０３に蓄え、昼間の料金が高い時間帯に蓄電装置等１０３によって蓄電した電力を放電して利用するといった使い方も可能である。【００７５】
尚、以上においては、制御装置１１０が蓄電装置等１０３内に格納される例を説明したが、スマートメータ１０７内に格納されてもよいし、単独で構成されていてもよい。更には、電力システム（蓄電システム）１００は、集合住宅における複数の家庭を対象として用いられてもよいし、複数の戸建て住宅を対象として用いられてもよい。
【実施例５】
【００７６】
実施例５は、本開示の電動移動手段に関する。実施例５の電動移動手段は、
実施例１〜実施例２の蓄電装置（あるいは実施例３の蓄電装置組立体）、
実施例１〜実施例２の蓄電装置（あるいは実施例３の蓄電装置組立体）から電力の供給を受けて車両の駆動力に変換する変換装置、及び、
実施例１〜実施例２の蓄電装置（あるいは実施例３の蓄電装置組立体）に関する情報に基づいて車両制御に関する情報処理を行う制御装置、
を有する。【００７７】
図１３に実施例５の電動移動手段、具体的には、シリーズハイブリッドシステムを採用するハイブリッド車両の構成の一例を概略的に示す。シリーズハイブリッドシステムはエンジンで動かす発電機で発電された電力、あるいは、発電機で発電された電力を蓄電装置（蓄電装置組立体）に一旦蓄電しておいた電力を用いて、電力駆動力変換装置で走行する車両である。【００７８】
ハイブリッド車両２００には、エンジン２０１、発電機２０２、電力駆動力変換装置２０３、駆動輪２０４ａ、駆動輪２０４ｂ、車輪２０５ａ、車輪２０５ｂ、バッテリー（実施例１〜実施例２の蓄電装置、あるいは、実施例３の蓄電装置組立体）２０８、車両制御装置２０９、各種センサー２１０、充電口２１１が搭載されている。車両制御装置２０９は、併せて、上述した制御装置としても機能し、実施例１〜実施例２の蓄電装置（あるいは実施例３の蓄電装置組立体）に関する情報に基づいて車両制御に関する情報処理を、周知の方法に基づいて行う。具体的には、例えば、電池部の残量に関する情報に基づき、電池残量表示を行う情報処理装置等を挙げることができる。【００７９】
ハイブリッド車両２００は、電力駆動力変換装置２０３を動力源として走行する。電力駆動力変換装置２０３の一例として、モータを挙げることができる。バッテリー２０８の電力によって電力駆動力変換装置２０３が作動し、この電力駆動力変換装置２０３の回転力が駆動輪２０４ａ、２０４ｂに伝達される。尚、必要な個所に直流−交流（ＤＣ−ＡＣ）あるいは逆変換（ＡＣ−ＤＣ変換）を用いることによって、電力駆動力変換装置２０３が交流モータでも直流モータでも適用可能である。各種センサー２１０を介して、車両制御装置２０９によって、エンジン回転数を制御したり、図示しないスロットルバルブの開度（スロットル開度）を制御する。各種センサー２１０には、速度センサー、加速度センサー、エンジン回転数センサー等が含まれる。エンジン２０１の回転力は発電機２０２に伝えられ、その回転力によって発電機２０２により生成された電力をバッテリー２０８に蓄積（蓄電）することが可能である。【００８０】
図示しない制動機構によりハイブリッド車両が減速すると、その減速時の抵抗力が電力駆動力変換装置２０３に回転力として加わり、この回転力によって電力駆動力変換装置２０３により生成された回生電力がバッテリー２０８に蓄積される。【００８１】
バッテリー２０８は、ハイブリッド車両の外部の電源に接続されることで、その外部電源から充電口２１１を入力口として電力供給を受け、受けた電力を蓄積することも可能である。【００８２】
尚、エンジンで動かす発電機で発電された電力、あるいは、この電力をバッテリー２０８に一旦蓄電しておいた電力を用いて、電力駆動力変換装置（モータ）２０３で走行するシリーズハイブリッド車を例として説明したが、エンジンと電力駆動力変換装置の出力のいずれも駆動源とし、エンジンのみで走行、電力駆動力変換装置のみで走行、エンジンと電力駆動力変換装置での走行という３つの方式を適宜切り替えて使用するパラレルハイブリッド車とすることもできる。更には、エンジンを用いず駆動モータのみによる駆動で走行する所謂、電動車両とすることもできる。【００８３】
以上、本開示を好ましい実施例に基づき説明したが、本開示はこれらの実施例に限定するものではない。実施例において説明した蓄電装置や蓄電装置組立体の構成、構造、使用材料等、実施例において説明した電気・電子機器、電動移動手段、電力システムは例示であるし、実施例において説明した蓄電装置組立体の組み立て方法も例示であり、適宜、変更することができる。【００８４】
尚、本開示は、以下のような構成を取ることもできる。
［Ａ０１］《蓄電装置》
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆う蓄電装置。
［Ａ０２］カバー部材の縁部には、他の蓄電装置を構成するカバー部材の縁部と係合する係合部が設けられている［Ａ０１］に記載の蓄電装置。
［Ａ０３］導通状態切替え手段は、
電池部の第１端子部に接続され、第１開口部に対向してケース内に配置された内部第１端子、及び、
外部接続用第１端子に接続され、第１開口部に対向してケース内に配置された内部第２端子、
を備えており、
接続部は、内部第１端子及び内部第２端子に嵌合する［Ａ０１］又は［Ａ０２］に記載の蓄電装置。
［Ａ０４］接続部は、板状の導電材料が折曲げられて成り、第１脚部及び第２脚部を有しており、
第１開口部と対向する内部第１端子の対向面には第１スリット部が設けられており、
第１開口部と対向する内部第２端子の対向面には第２スリット部が設けられており、
接続部と導通状態切替え手段とが嵌合するとき、接続部の第１脚部が第１スリット部に挿入され、接続部の第２脚部が第２スリット部に挿入される［Ａ０３］に記載の蓄電装置。
［Ａ０５］電池部の第１端子部と内部第１端子との間、又は、外部接続用第１端子と内部第２端子との間、又は、電池部の第１端子部と内部第１端子との間及び外部接続用第１端子と内部第２端子との間には、ヒューズが挿入されている［Ａ０３］又は［Ａ０４］に記載の蓄電装置。
［Ａ０６］電子部品は、蓄電装置のアドレスを設定するスイッチ装置である［Ａ０１］乃至［Ａ０５］のいずれか１項に記載の蓄電装置。
［Ａ０７］外部の制御装置との通信のための通信用端子を更に備えている［Ａ０１］乃至［Ａ０６］のいずれか１項に記載の蓄電装置。
［Ａ０８］再生可能エネルギーに基づき発電を行う発電装置によって充電される［Ａ０１］乃至［Ａ０７］のいずれか１項に記載の蓄電装置。
［Ａ０９］電気・電子機器に電力を供給する［Ａ０１］乃至［Ａ０８］のいずれか１項に記載の蓄電装置。
［Ｂ０１］《蓄電装置組立体》
複数の蓄電装置、及び、
複数の蓄電装置を架載するラック、
を備えた蓄電装置組立体であって、
各蓄電装置は、
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の内面とケースの第１面とが対向し、且つ、接続部が導通状態切替え手段と嵌合した状態で、カバー部材は、ケースの第１面に取り付けられ、第１開口部、第２開口部、外部接続用第１端子及び外部接続用第２端子を覆い、
カバー部材の縁部には、第１係合部及び第２係合部が設けられており、
一の蓄電装置のカバー部材における第１係合部と、該一の蓄電装置に隣接する蓄電装置のカバー部材における第２係合部とが係合する蓄電装置組立体。
［Ｂ０２］第１係合部及び第２係合部は、低圧側の蓄電装置のカバー部材における第１係合部が、高圧側の蓄電装置のカバー部材における第２係合部に対して係合する構造を有する［Ｂ０１］に記載の蓄電装置組立体。
［Ｂ０３］第１係合部は、カバー部材から突出しており、
低圧側の蓄電装置のカバー部材における第１係合部と高圧側の蓄電装置のカバー部材における第２係合部が係合するとき、低圧側の蓄電装置のカバー部材における第１係合部は高圧側の蓄電装置のカバー部材における第２係合部を覆う［Ｂ０２］に記載の蓄電装置組立体。
［Ｂ０４］第１係合部は、第１突出部及び第１凹部（第１溝部）から構成されており、
第２係合部は、第２凹部（第２溝部）及び第２突出部から構成されており、
低圧側の蓄電装置のカバー部材における第１係合部の第１突出部と高圧側の蓄電装置のカバー部材における第２係合部の第２凹部が係合するとき、低圧側の蓄電装置のカバー部材における第１係合部の第１突出部は高圧側の蓄電装置のカバー部材における第２係合部の第２凹部を覆い、
低圧側の蓄電装置のカバー部材における第１係合部の第２凹部と高圧側の蓄電装置のカバー部材における第２係合部の第２突出部が係合するとき、低圧側の蓄電装置のカバー部材における第１係合部の第１凹部に高圧側の蓄電装置のカバー部材における第２係合部の第２突出部が納まる［Ｂ０２］に記載の蓄電装置組立体。
［Ｂ０５］導通状態切替え手段は、
電池部の第１端子部に接続され、第１開口部に対向してケース内に配置された内部第１端子、及び、
外部接続用第１端子に接続され、第１開口部に対向してケース内に配置された内部第２端子、
を備えており、
接続部は、内部第１端子及び内部第２端子に嵌合する［Ｂ０１］乃至［Ｂ０４］のいずれか１項に記載の蓄電装置組立体。
［Ｂ０６］接続部は、板状の導電材料が折曲げられて成り、第１脚部及び第２脚部を有しており、
第１開口部と対向する内部第１端子の対向面には第１スリット部が設けられており、
第１開口部と対向する内部第２端子の対向面には第２スリット部が設けられており、
接続部と導通状態切替え手段とが嵌合するとき、接続部の第１脚部が第１スリット部に挿入され、接続部の第２脚部が第２スリット部に挿入される［Ｂ０５］に記載の蓄電装置組立体。
［Ｂ０７］電池部の第１端子部と内部第１端子との間、又は、外部接続用第１端子と内部第２端子との間、又は、電池部の第１端子部と内部第１端子との間及び外部接続用第１端子と内部第２端子との間には、ヒューズが挿入されている［Ｂ０５］又は［Ｂ０６］に記載の蓄電装置組立体。
［Ｂ０８］電子部品は、蓄電装置のアドレスを設定するスイッチ装置である［Ｂ０１］乃至［Ｂ０７］のいずれか１項に記載の蓄電装置組立体。
［Ｂ０９］外部の制御装置との通信のための通信用端子を更に備えている［Ｂ０１］乃至［Ｂ０８］のいずれか１項に記載の蓄電装置組立体。
［Ｂ１０］再生可能エネルギーに基づき発電を行う発電装置によって充電される［Ｂ０１］乃至［Ｂ０９］のいずれか１項に記載の蓄電装置組立体。
［Ｂ１１］電気・電子機器に電力を供給する［Ｂ０１］乃至［Ｂ１０］のいずれか１項に記載の蓄電装置組立体。
［Ｃ０１］《蓄電装置組立体の組み立て方法》
複数の蓄電装置、及び、
複数の蓄電装置を架載するラック、
を備えており、
各蓄電装置は、
（ａ）第１端子部及び第２端子部を備えた電池部が収容され、第１面に第１開口部及び第２開口部が設けられたケース、
（ｂ）ケースの第１面に配置された外部接続用第１端子、
（ｃ）ケースの第１面に配置され、電池部の第２端子部に接続された外部接続用第２端子、
（ｄ）ケース内に、第１開口部に対向して、電池部の第１端子部と外部接続用第１端子との間に配置され、電池部の第１端子部と外部接続用第１端子との間を導通状態又は非導通状態とする導通状態切替え手段、
（ｅ）第２開口部と対向してケース内に配置され、外部からアクセス可能な電子部品、並びに、
（ｆ）ケースの第１面と対向した内面に設けられ、導通状態切替え手段を導通状態又は非導通状態とする接続部を有するカバー部材、
から構成されており、
カバー部材の縁部には、第１係合部及び第２係合部が設けられている蓄電装置組立体の組み立て方法であって、
ラックに架載された高圧側の蓄電装置に隣接して、カバー部材を外した状態で低圧側の蓄電装置をラックに架載し、次いで、
高圧側の蓄電装置の外部接続用第２端子と低圧側の蓄電装置の外部接続用第１端子とを電気的に接続し、その後、
高圧側の蓄電装置のカバー部材における第２係合部に、低圧側の蓄電装置のカバー部材における第１係合部が係合するように、且つ、低圧側の蓄電装置におけるカバー部材の内面とケースの第１面とが対向し、接続部が導通状態切替え手段と嵌合するように、ケースにカバー部材を取り付け、カバー部材で第１開口部、第２開口部、外部接続用第１端子及び外部接続用第２端子を覆う、
各工程から成る蓄電装置組立体の組み立て方法。
［Ｄ０１］《電気・電子機器》
［Ａ０１］乃至［Ａ０７］のいずれか１項に記載の蓄電装置を有しており、蓄電装置から電力の供給を受ける電気・電子機器。
［Ｄ０２］《電気・電子機器》
［Ｂ０１］乃至［Ｂ１１］のいずれか１項に記載の蓄電装置組立体を有しており、蓄電装置組立体から電力の供給を受ける電気・電子機器。
［Ｄ０３］《電動移動手段》
［Ａ０１］乃至［Ａ０７］のいずれか１項に記載の蓄電装置、
蓄電装置から電力の供給を受けて車両の駆動力に変換する変換装置、及び、
蓄電装置に関する情報に基づいて車両制御に関する情報処理を行う制御装置、
を有する電動移動手段。
［Ｄ０４］《電動移動手段》
［Ｂ０１］乃至［Ｂ１１］のいずれか１項に記載の蓄電装置組立体、
蓄電装置組立体から電力の供給を受けて車両の駆動力に変換する変換装置、及び、
蓄電装置組立体に関する情報に基づいて車両制御に関する情報処理を行う制御装置、
を有する電動移動手段。
［Ｄ０５］《電力システム》
［Ａ０１］乃至［Ａ０７］のいずれか１項に記載の蓄電装置、及び、
他の機器とネットワークを介して情報を受信する受信部、
を備えており、
受信部が受信した情報に基づき蓄電装置の充放電制御を行う電力システム。
［Ｄ０６］《電力システム》
［Ｂ０１］乃至［Ｂ１１］のいずれか１項に記載の蓄電装置組立体、及び、
他の機器とネットワークを介して情報を受信する受信部、
を備えており、
受信部が受信した情報に基づき蓄電装置組立体の充放電制御を行う電力システム。
［Ｄ０７］《電力システム》
［Ａ０１］乃至［Ａ０７］のいずれか１項に記載の蓄電装置を有しており、
蓄電装置から電力の供給を受け、又は、発電装置若しくは電力網から蓄電装置に電力を供給する電力システム。
［Ｄ０８］《電力システム》
［Ｂ０１］乃至［Ｂ１１］のいずれか１項に記載の蓄電装置組立体を有しており、
蓄電装置組立体から電力の供給を受け、又は、発電装置若しくは電力網から蓄電装置組立体に電力を供給する電力システム。
【符号の説明】
【００８５】
１・・・蓄電装置、１０・・・ケース、１１・・・ケースの第１面、１２，１３，１４・・・ケースの側面、１５・・・ケースの天板、２１・・・第１開口部、２２・・・第２開口部、２３，２４・・・ケースの第１面に設けられた凹部、２５・・・アース端子、３１・・・外部接続用第１端子、３２・・・外部接続用第２端子、４１・・・導通状態切替え手段、４２・・・内部第１端子、４２Ａ・・・第１スリット部、４３・・・内部第２端子、４３Ａ・・・第２スリット部、５０・・・カバー部材、５０’・・・カバー部材の内面（内側面）、５１・・・接続部、５２・・・第１脚部、５３・・・第２脚部、５４，５５・・・係合部、５６，５７・・・カバー部材の側壁、５８・・・カバー部材に設けられた開口部、６０・・・電池部、６１・・・二次電池、６２・・・第１端子部、６３・・・第２端子部、６４，６５・・・ヒューズ、７４・・・第１係合部、７４Ａ・・・第１突出部、７４Ｂ・・・第１凹部（第１溝部）、７５・・・第２係合部、７５Ａ・・・第２突出部、７５Ｂ・・・第２凹部（第２溝部）、８０・・・蓄電装置組立体、８１・・・ラック、１００・・・電力システム、１０１・・・住宅、１０２・・・集中型電力系統、１０２ａ・・・火力発電、１０２ｂ・・・原子力発電、１０２ｃ・・・水力発電、１０３・・・蓄電装置等、１０４・・・家庭内発電装置、１０５・・・電力消費装置、１０５ａ・・・冷蔵庫、１０５ｂ・・・空調装置、１０５ｃ・・・テレビジョン受信機、１０５ｄ・・・風呂、１０６・・・電動移動手段（電動車両）、１０６ａ・・・電気自動車、１０６ｂ・・・ハイブリッドカー、１０６ｃ・・・電気バイク、１０７・・・スマートメータ、１０８・・・パワーハブ、１０９・・・電力網、１１０・・・制御装置、１１１・・・センサー、１１２・・・情報網、１１３・・・サーバ、２００・・・ハイブリッド車両、２０１・・・エンジン、２０２・・・発電機、２０３・・・電力駆動力変換装置、２０４ａ・・・駆動輪、２０４ｂ・・・駆動輪、２０５ａ・・・車輪、２０５ｂ・・・車輪、２０８・・・バッテリー、２０９・・・車両制御装置、２１０・・・センサー、２１１・・・充電口
【図１】
2017077765.tif 000003
【図２】
2017077765.tif 000004
【図３】
2017077765.tif 000005
【図４】
2017077765.tif 000006
【図５】
2017077765.tif 000007
【図６】
2017077765.tif 000008
【図７】
2017077765.tif 000009
【図８】
2017077765.tif 000010
【図９】
2017077765.tif 000011
【図１０】
2017077765.tif 000012
【図１１】
2017077765.tif 000013
【図１２】
2017077765.tif 000014
【図１３】
2017077765.tif 000015
【国際調査報告】
2017077765.tif 000016
2017077765.tif 000017
2017077765.tif 000018
2017077765.tif 000019